(57)【要約】【課題】耐衝撃性及び耐振性が向上した二次電池を提供する。【解決手段】本発明の二次電池は、電池ケース１５内に収容される電極組立体１０、及び前記電極組立体１０と前記電池ケース１５との間に位置し、前記電極組立体１０と前記電池ケース１５に接触する緩衝シート４０を含む。この構成により、緩衝シート４０がケース１５と電極組立体１０との間で電極組立体１０を緩衝するため、電極組立体１０に激しい衝撃が伝わることを防止することができる。【選択図】図１
2011082162.tif 000002
【特許請求の範囲】
【請求項１】
電池ケース内に収容される電極組立体、及び
前記電極組立体と前記電池ケースとの間に位置し、前記電極組立体と前記電池ケースに接触する緩衝シート、を含むことを特徴とする二次電池。
【請求項２】
前記電極組立体に電気的に連結される電極端子をさらに含み、
前記緩衝シートと前記電極端子は前記電極組立体を基準に互いに反対側に位置することを特徴とする、請求項１に記載の二次電池。
【請求項３】
前記緩衝シートは、前記電池ケースの少なくとも互いに異なる三つの面に沿って延びる連続する柔軟シートであることを特徴とする、請求項１に記載の二次電池。
【請求項４】
前記緩衝シートは、前記電池ケースの少なくとも互いに異なる五つの面と重なることを特徴とする、請求項３に記載の二次電池。
【請求項５】
前記緩衝シートは、前記電池ケース内部に位置する時に変形するように形成されることを特徴とする、請求項３に記載の二次電池。
【請求項６】
前記緩衝シートはスプリングに連結される少なくとも一つの支持板を含み、前記支持板は前記電極組立体と接触し、
前記スプリングは前記支持板と前記電池ケースとの間で延びて、前記電池ケースと接触する時に変形するように形成されることを特徴とする、請求項１に記載の二次電池。
【請求項７】
前記スプリングは、前記支持板の側部周縁に沿って延びて、前記支持板に対して角度を有するように形成され、
前記スプリングは、前記電池ケースの各側壁に沿って前記支持板から延びることを特徴とする、請求項６に記載の二次電池。
【請求項８】
前記スプリングは、前記電極組立体から離隔する方向に湾曲形成され、前記支持板は、前記スプリングと前記電極組立体との間に位置することを特徴とする、請求項６に記載の二次電池。
【請求項９】
前記スプリングと電極組立体との間に絶縁フィルムをさらに含むことを特徴とする、請求項６に記載の二次電池。
【請求項１０】
前記緩衝シートは、前記電池ケースの互いに異なる三つの面と重なる三つの支持板を含み、
前記各支持板は、互いに反対側周縁に形成されて前記電池ケースの互いに反対側面と接触するスプリングを含むことを特徴とする、請求項６に記載の二次電池。
【請求項１１】
前記三つの支持板のスプリングは、前記電池ケースの互いに異なる二つの面と重なることを特徴とする、請求項１０に記載の二次電池。
【請求項１２】
前記緩衝シートの三つの支持板は、前記電池ケースの底面と二つの側面に沿って延びることを特徴とする、請求項１０に記載の二次電池。
【請求項１３】
前記三つの支持板のうちの二つの支持板は第１及び第２電極タップと接触し、前記第１及び第２電極タップは前記電極組立体を電極端子に連結することを特徴とする、請求項１０に記載の二次電池。
【請求項１４】
前記緩衝シートは、前記電池ケースの底面に向かう第１支持板と、前記電池ケースの側壁に向かう第２及び第３支持板を含み、
前記第１乃至第３支持板は一体で形成されることを特徴とする、請求項６に記載の二次電池。
【請求項１５】
前記少なくとも一つの支持板と前記スプリングの幅の合計は、前記電池ケースの幅より大きいか、または前記電池ケースの幅と同一になるように形成されることを特徴とする、請求項６に記載の二次電池。
【請求項１６】
前記電池ケースの底面は湾曲形成され、前記緩衝シートの幅は前記電池ケースの湾曲された底面の幅より大きく形成されることを特徴とする、請求項１５に記載の二次電池。
【請求項１７】
前記緩衝シートは前記電池ケース、第１及び第２電極タップと接触し、
前記第１及び第２電極タップは前記電極組立体を各々第１及び第２電極端子に連結し、
前記緩衝シートは、前記電池ケースと前記第１及び第２電極タップ各々の間に位置することを特徴とする、請求項１に記載の二次電池。
【発明の詳細な説明】
【技術分野】
【０００１】
本発明は二次電池に関し、より詳しくは、電極組立体に対する衝撃及び振動を緩衝する構造を改善した二次電池に関する。
【背景技術】
【０００２】
二次電池（ｒｅｃｈａｒｇｅａｂｌｅ  ｂａｔｔｅｒｙ）は充電が不可能な一次電池とは異なって充放電が可能な電池である。低容量の二次電池は携帯電話やノートパソコン及びカムコーダーのように携帯が可能な小型電子機器に使用され、大容量電池はハイブリッド自動車などのモータ駆動用電源として幅広く使用されている。
【０００３】
最近、高エネルギー密度の非水電解液を利用した大容量・高出力二次電池が開発されており、前記高出力二次電池は大電力を必要とする機器、例えば、電気自動車などのモータ駆動に用いることができるように複数の二次電池を直列連結して高出力の電池モジュールとして構成される。
【０００４】
通常、二次電池は、外形となるケースと、ケース内に設置され、正極と負極、及び正極と負極との間に配置されたセパレータを含む電極組立体と、電極組立体に電気的に連結され、ケースの外側に突出する正極端子と負極端子を含む。二次電池は円型と角型、パウチ型などからなる。
【発明の概要】
【発明が解決しようとする課題】
【０００５】
しかしながら、二次電池に激しい衝撃が伝わることにより、二次電池が所望の性能を発揮できなかったり、または二次電池が損傷するなどの問題が発生することが想定される。
【０００６】
そこで、本発明は、上記問題に鑑みてなされたものであり、本発明の目的とするところは、耐衝撃性及び耐振性を向上することが可能な、新規かつ改良された二次電池を提供することにある。
【課題を解決するための手段】
【０００７】
上記課題を解決するために、本発明のある観点によれば、電池ケース内に収容される電極組立体、及び前記電極組立体と前記電池ケースとの間に位置し、前記電極組立体と前記電池ケースに接触する緩衝シートを含む二次電池が提供される。
【０００８】
前記二次電池は、前記電極組立体に電気的に連結される電極端子をさらに含み、前記緩衝シートと前記電極端子は前記電極組立体を基準に互いに反対側に位置してもよい。
【０００９】
前記緩衝シートは、前記電池ケースの少なくとも互いに異なる三つの面に沿って延びる連続する柔軟シートであってもよく、前記緩衝シートは、前記電池ケースの少なくとも互いに異なる五つの面と重なってもよい。また、前記緩衝シートは、前記電池ケースの内部に位置する時に変形するように形成されてもよい。
【００１０】
前記緩衝シートはスプリングに連結される少なくとも一つの支持板を含み、前記支持板は前記電極組立体と接触し、前記スプリングは前記支持板と前記電池ケースとの間で延び、前記電池ケースと接触する時に変形するように形成されてもよい。
【００１１】
前記スプリングは前記支持板の側部周縁に沿って延び、前記支持板に対して角度を有するように形成され、前記スプリングは前記電池ケースの各側壁に沿って前記支持板から伸びてもよい。
【００１２】
前記スプリングは前記電極組立体から離隔する方向に湾曲形成され、前記支持板は前記スプリングと前記電極組立体との間に位置してもよい。
【００１３】
前記スプリングと電極組立体との間には絶縁フィルムをさらに含んでもよい。
【００１４】
前記緩衝シートは、前記電池ケースの互いに異なる三つの面と重なる三つの支持板を含み、前記各支持板は、互いに反対側の周縁に形成されて前記電池ケースの互いに反対側面と接触する複数のスプリングを含んでもよい。前記三つの支持板のスプリングは前記電池ケースの互いに異なる二つの面と重なるものであってもよい。前記緩衝シートの三つの支持板は前記電池ケースの底面と二つの側面に沿って伸びてもよい。
【００１５】
前記三つの支持板のうちの二つの支持板は第１及び第２電極タップと接触し、前記第１及び第２電極タップは前記電極組立体を電極端子に連結してもよい。
【００１６】
前記緩衝シートは前記電池ケースの底面に向かう第１支持板と、前記電池ケースの側壁に向かう第２及び第３支持板を含み、前記第１乃至第３支持板は一体で形成されてもよい。
【００１７】
前記少なくとも一つの支持板と前記スプリングの幅の合計は、前記電池ケースの幅より大きいか、または前記電池ケースの幅と同一に形成されてもよい。
【００１８】
前記電池ケースの底面は湾曲形成され、前記緩衝シートの幅は前記電池ケースの湾曲された底面の幅より大きく形成されてもよい。
【００１９】
前記緩衝シートは、前記電池ケース、第１及び第２電極タップと接触し、前記第１及び第２電極タップは前記電極組立体を各々第１及び第２電極端子に連結し、前記緩衝シートは前記電池ケースと前記第１及び第２電極タップの各々の間に位置してもよい。
【発明の効果】
【００２０】
本発明によれば、緩衝シートがケースと電極組立体との間で電極組立体を緩衝するため、電極組立体に激しい衝撃が伝わることを防止することができる。
【図面の簡単な説明】
【００２１】
【図１】本発明の第１実施形態に係る二次電池の斜視図である。
【図２】図１においてＩＩ−ＩＩ線に沿って切断して示した断面図である。
【図３】本発明の第１実施形態に係る二次電池挿入前の緩衝シートを示した斜視図である。
【図４】本発明の第１実施形態に係る二次電池を縦方向に切断して示した部分切開斜視図である。
【図５】本発明の第１実施形態に係る二次電池を横方向に切断して示した部分切開斜視図である。
【図６】本発明の第２実施形態に係る二次電池の縦断面図である。
【図７】本発明の第２実施形態に係る二次電池の横断面図である。
【図８】本発明の第３実施形態に係る二次電池の緩衝シートを示した斜視図である。
【図９】本発明の第３実施形態に係る二次電池を横方向に切断した示した切開斜視図である。
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
以下、添付の図面を参照して、本発明が属する技術分野において通常の知識を有する者が容易に実施できるように本発明の実施形態を詳しく説明する。しかし、本発明は多様な形態で実施されることができ、以下に説明する実施形態に限られない。
【００２４】
図面において、説明を明確にするために層または領域の寸法は誇張して示した。一つの層または要素が他の層または基材の「上に」あるということは、直接的に上にあるか、その間にさらに他の層を介在していることを意味する。また、一つの層が他の層の「下に」あるということは、直接的に下にあるか、その間にさらに一つ以上の他の層を介在していることを意味する。さらに、一つの層が二つの層の「間に」あるということは、その一つの層が二つの層の間の唯一の層であるか、その間にさらに一つ以上の他の層を介在していることを意味する。そして、本明細書及び図面において、同じ符号は同じ構成要素を示す。
【００２５】
図１は本発明の第１実施形態に係る二次電池の斜視図であり、図２は図１においてＩＩ−ＩＩ線に沿って切断して示した断面図である。
【００２６】
図１及び図２を参照して説明すると、本実施形態に係る二次電池１１０は、充電と放電を行う電極組立体１０と、電極組立体１０が内蔵されるケース１５と、ケース１５を密封するキャップアセンブリー２０を含む。
【００２７】
本実施形態に係る二次電池１１０は、リチウムイオン電池であることを例として説明する。但し、本発明はこれに限定されるものではなく、本発明はリチウムポリマー電池など多様な形態の電池に適用されてもよい。
【００２８】
電極組立体１０は、正極１１と負極１２との間にセパレータ１３を介在した状態で巻き取られた構造からなる。正極１１、負極１２、セパレータ１３は一方向に長く連結した帯状で構成される。但し、本発明はこれに限定されるものではなく、電極組立体１０は複数の正極１１と負極１２がセパレータ１３を間に置いて交互に積層された構造からなってもよい。
【００２９】
正極１１は、正極集電体と、正極集電体上に形成された正極活物質層を含み、正極１１の長手方向の一側端に沿って正極活物質層が形成されない正極無地部１１ａが形成される。
【００３０】
負極１２は、負極集電体と、負極集電体上に形成された負極活物質層を含み、負極１２の長手方向の一側端に沿って負極活物質層が形成されない負極無地部１２ａが形成される。
【００３１】
ケース１５は、二次電池１１０の全体的な外形を形成し、電極組立体１０を内蔵する空間を提供する。例えば、ケース１５は、直六面体に対応する形状の電極組立体１０を収容するように一側に開口を有する直六面体の角型からなる。ケース１５の角には弧形に曲がっているラウンド部１５ａが形成される。即ち、ケース１５の二つの面が接触する領域はこれに沿ってラウンド部１５ａが形成されてもよい。ラウンド部１５ａは前記ケース１５の底面において半径が２ｍｍ以上の弧形からなる。
【００３２】
但し、本発明はこれに限定されるものではなく、ケース１５は円型、パウチ型など多様な形状からなってもよい。また、ケース１５はアルミニウム、アルミニウム合金、ニッケルがメッキされたスチールなどの金属、またはパウチを構成するラミネートフィルムからなってもよい。
【００３３】
キャップアセンブリー２０は、ケース１５の開口に結合されたキャッププレート２８と、正極１１と電気的に連結され、ケース１５の外側に突出した正極端子２１と、負極１２と電気的に連結され、ケース１５の外側に突出した負極端子２２を含む。
【００３４】
キャッププレート２８は板状からなり、ケース１５に形成された開口に結合される。キャッププレート２８に形成された電解液注入口２９には密封キャップ２７が設けられる。また、キャッププレート２８にはベント孔２４が形成され、設定された圧力で開放されるように切欠２６ａが形成されたベントプレート２６が前記ベント孔２４に設けられる。
電極組立体１０には正極端子２１と負極端子２２が電気的に連結され、正極端子２１と負極端子２２はケース１５の外側に突出する。
【００３５】
正極端子２１及び負極端子２２はキャッププレート２８を貫いて設置され、下部にキャッププレート２８の下に支持された鍔が形成され、キャッププレート２８の外側に突出した上部柱の外周面はねじ加工される。また、端子２１、２２の外部にはナット３５が締結され、上部において前記端子２１、２２を支持する。
【００３６】
正極端子２１及び負極端子２２とキャッププレート２８との間には上部ガスケット３８と下部ガスケット３９が設置され、端子２１、２２とキャッププレート２８との間を密封して絶縁する。
【００３７】
正極端子２１は第１リードタップ３１を媒介として正極１１と電気的に連結され、負極端子２２は第２リードタップ３２を媒介として負極１２と電気的に連結される。第１リードタップと第２リードタップは電極組立体の側端に配置され、リードタップ３１、３２にはガスが排出されるタップ孔３１ａ、３２ａが形成される。
【００３８】
一方、キャッププレート２８の下には下部絶縁部材３４が配置されるが、端子２１、２２の下端とリードタップ３１、３２の上端は下部絶縁部材３４に挿入配置される。
【００３９】
このような構造によって、第１リードタップ３１は正極端子２１と正極１１を電気的に連結し、第２リードタップ３２は負極端子２２と負極１２を電気的に連結する。
【００４０】
ケース１５の底面１５ｂ及び両側面１５ｃと電極組立体１０との間には電極組立体１０をケース１５に対して支持する緩衝シート（ｓｈｅｅｔ）４０が設けられる。前記緩衝シート４０は電極組立体１０の外側に位置し、前記電極組立体１０とは別の構成で備えられてもよく、前記ケース１５の上部においては前記電極組立体１０と前記ケース１５との間に空間を維持する。緩衝シート４０は図３乃至図５を参照してより詳細に説明する。
【００４１】
図３は本発明の第１実施形態に係る二次電池１１０に挿入される前の緩衝シートを示した斜視図である。
【００４２】
図２及び図３を参照すると、緩衝シート４０は、二つの支持板４１、４３と、支持板４１、４３とケース１５との間に設置され、弾性変形されるスプリング４２、４５を含む。
【００４３】
緩衝シート４０はケース１５の底面１５ｂと対向する底支持板４１と、ケースの側面１５ｃと対向する側部支持板４３を含む。また、緩衝シート４０は、底支持板４１をケース１５に対して支持する底スプリング４２と、側部支持板４３をケース１５に対して支持する側部スプリング４５を含む。緩衝シート４０は柔軟素材からなってもよく、例えば、ポリプロピレン、ポリエチレンなどのポリマー、または金属の両面にポリマー層が塗布されたラミネートフィルムなどからなってもよい。
【００４４】
底支持板４１の両端に側部支持板４３が繋がって形成される緩衝シート４０は、前記ケース１５内に取り付けられる前に、一方向に長く連結した板状または四角形状からなる。例えば、前記側部スプリング４５を有する側部支持板４３は、前記底支持板４１の一側端部に連結されるが、前記底スプリング４２を有する底支持板４１は、２つの側部支持板４３の間に位置し、四角形状を有する単一体構造を形成してもよい。また、ケース１５内に緩衝シート４０が設けられると、底支持板４１は前記ケース１５の底面１５ｂに沿って延びるが、前記底支持板４１は電極組立体１０の底に直接接触することができ、側部支持板４３は底支持板４１に対して直角に折曲してケース１５の各側面１５ｃに沿って延びるが、前記側部支持板４３は第１及び第２リードタップ３１、３２各々に直接接触し、前記各々の第１及び第２リードタップ３１、３２と重なるように延びる。これにより、前記ケース１５の内部に取り付けられて折曲した状態では、前記緩衝シート４０は略「Ｕ」字状で挿入設置されて前記電極組立体１０の下部を支持する。
【００４５】
底支持板４１と側部支持板４３が連結された部分には底スプリング４２及び側部スプリング４５が形成されていない。つまり、図３に示したように、各々の底スプリング４２と隣接した側部スプリング４５との間に空間が形成され、これによって前記底支持板４１と各々の側部支持板４３との間の折曲部分、即ち、ケース１５のラウンド部１５ａに対応する部分はスプリングを介して前記ケース１５と接触しないことがある。従って、側部支持板４３が底支持板４１に対して簡単に屈曲し易くなる。
【００４６】
底支持板４１の両側端にはケース１５の内側面１５ｄと接して弾性変形する底スプリング（ｂｏｔｔｏｍ  ｓｐｒｉｎｇ）４２が形成される。底スプリング４２は、底支持板４１の両側端に沿って繋がっている板状で形成され、両側に形成された底スプリング４２が対向するケース１５の内側面１５ｄと各々接し、底支持板４１がケース１５の内側面１５ｄから離隔するように支持する。底スプリング４２は板スプリング形状で構成されるが、加圧力によって弾性変形する。
【００４７】
また、側部支持板４３の両側端にもケース１５の内側面１５ｄと接して弾性変形する側部スプリング（ｓｉｄｅ  ｓｐｒｉｎｇ）４５が形成される。
【００４８】
側部スプリング４５は、側部支持板４３の側端に沿って繋がっている板状で形成され、両側に形成された側部スプリング４５が対向するケースの内側面１５ｄと各々接して側部支持板４３がケース１５から離隔するように支持する。側部スプリング４５は板スプリング形状で構成されるが、加圧力によって弾性変形する。
【００４９】
図４及び図５を参照して、緩衝シート４０の作用及び効果について詳しく説明する。図４は本発明の第１実施形態に係る二次電池を縦方向に切断して示した、つまり、ｙｚ平面に切断して示した部分切開斜視図であり、図５は本発明の第１実施形態に係る二次電池を横方向に切断して示した、つまり、ｘｚ平面に切断して示した部分切開斜視図である。
底支持板４１と底スプリング４２の取り付けられていない状態でｚ軸に沿って測定した幅を合計した値は、図３に示したように、ｚ軸に沿って測定したケース１５の内側幅より大きいか、または同じである。前記ケース１５のｚ軸に沿って測定した内側幅は、前記ケース１５のラウンド部１５ａ上の領域で測定される。
【００５０】
底支持板４１の幅と底スプリング４２の幅を合計した値がケース１５の内側の幅より大きい場合には、図４に示したように、底スプリング４２の両端がケース１５の内側面１５ｄと当接して底スプリング４２が変形し、底スプリング４２が底支持板４１をケース１５から離隔させる。即ち、前記底支持板４１が前記ケース１５の内に取り付けられる時、前記底スプリング４２は前記内側面１５ｄによって押され、前記底支持板４１に対して角度を有するように形成される。これにより、前記底スプリング４２は前記ケースの内側面１５ｄに沿って延び、前記底支持板４１を前記ケース１５から離隔させる。
【００５１】
底支持板４１の幅と底スプリング４２の幅とを合計した値がケース１５内側の幅と同じように形成される場合には、ケース１５のラウンド部１５ａにおいて底スプリング４２がラウンドされたケース１５の内面に密着して変形する。
【００５２】
ラウンド部１５ａにおいてはケース１５の内面の間の幅が漸進的に減少し、これによってラウンド部１５ａにおいては内面の間の幅より緩衝シート４０の幅がさらに大きいため、底スプリング４２がケース１５の内側面１５ｄと当接し、底支持板４１はケース１５の底から離隔する。ケース１５のラウンドは半径が２ｍｍ以上の弧状からなり、底スプリング４２の曲率半径はラウンド部１５ａの曲率半径より大きく形成される。
【００５３】
底支持板４１の上には電極組立体１０の下端が密着し、底支持板４１は電極組立体１０を上下方向に安定的に支持することができる。さらに、外部の衝撃や振動が加えられても、底支持板４１と底スプリング４２によって電極組立体１０が急激に揺れることを安定的に防止することができる。
【００５４】
図５を参照すると、側部支持板４３と側部スプリング４５の取り付けられていない状態でｚ軸方向に沿って測定した幅を合計した値は、図３に示したように、ケース１５のｚ軸に沿って測定した内側の幅より大きいか、または同じである。側部支持板４３の幅と側部スプリング４５の幅を合計した値がケース１５の内側の幅よりさらに大きい場合には、図５に示したように、側部スプリング４５の両端がケース１５の内側面１５ｄと当接して側部スプリング４５が変形し、側部スプリング４５が側部支持板４３をケース１５から離隔させる。側部支持板４３の幅と側部スプリング４５の幅を合計した値がケース１５の内側の幅と同じように形成される場合には、ケース１５のラウンド部１５ａにおいて側部スプリング４５の端部がケース１５の内側の面１５ｄと接して変形する。
【００５５】
側部支持板４３の内側には電極組立体１０の側端が密着し、側部支持板４３は電極組立体１０を側方向に安定的に支持することができる。また、外部の衝撃や振動が加えられても、側部支持板４３と側部スプリング４５によって電極組立体１０が急激に揺れることを安定的に防止することができる。
【００５６】
このように、本実施形態によると、緩衝シート４０によって二次電池１１０の耐衝撃性及び耐振性が向上する。従って、衝撃や振動によって端子２１、２２と電極組立体１０との間の接触抵抗が増加することを防止することができる。
【００５７】
この反面、既存の二次電池においては、電極組立体がケース内に設置され、端子と電気的に連結されるが、外部の衝撃や振動によって電極組立体が揺れると、端子との電気的な接触が不良となる問題が生じることがある。電極組立体と端子との間に接触抵抗が増加すると、二次電池の出力が低下するだけでなく抵抗熱が多量発生し、二次電池の温度が上昇する問題が生じる。二次電池の温度が上昇すると、二次電池の性能が低下し、持続的な温度の上昇によって二次電池が発火したりする恐れがある。さらに、外部の衝撃によって電極組立体が破損したり破れると、内部短絡が生じて二次電池内部の温度が急激に上昇する。
【００５８】
図６は本発明の第２実施形態に係る二次電池の縦断面図であり、図７は本発明の第２実施形態に係る二次電池の横断面図面である。
【００５９】
図６及び図７を参照して説明すると、本実施形態に係る二次電池１２０は、緩衝シート５０の構造を除いては前記第１実施形態に係る二次電池と同じ構造であるため、同じ構造についての説明は省略する。
【００６０】
本実施形態に係る緩衝シート５０は、底支持板５１と底支持板５１の両側端に形成された底スプリング５２、底支持板５１の長手方向両端に連結された側部支持板５３と側部支持板５３の両側端に形成された側部スプリング５５を含む。前記底支持板５１と側部支持板５３の構造は前記図１乃至図５を参照して説明した二次電池１１０の底支持板４１と側部支持板４３と実質的に同じである。例えば、前記底支持板５１は二つの側部支持板５３の間に連結され、四角形状の単一体構造をなすようになる。
【００６１】
底支持板５１は、ケース１５の底面１５ｂに沿って連結された板状で構成される。底支持板５１は、ケース１５の内側の底面と対向配置され、上に設けられた電極組立体１０の下端と当接する。底スプリング５２は板状からなり、底支持板５１の両側端に沿って繋がって二つ形成される。また、図６に示したように、底スプリング５２はケース１５に向かって１８０度屈曲して底スプリング５２の上面がケース１５の底と当接する。底スプリング４２は略「Ｃ」字状に屈曲し、屈曲した部分が弾性変形してもよい。
【００６２】
屈曲形成された底スプリング４２はさらに大きい弾性を有し、これによって外部の衝撃や振動が加えられる時、底支持板５１が電極組立体１０を上下方向に安定的に支持することができる。例えば、外部衝撃が前記電極組立体１０に影響を及ぼして前記底支持板５１に対して振動させる時、前記底支持板５１は、図６に隠線で示したように曲げられて前記振動を吸収し、前記電極組立体１０が前記ケース１５の底面１５ｂと接触することを防止することができる。
【００６３】
一方、図７に示したように、側部支持板５３はケース１５の側面１５ｃに沿って繋がっている板状からなり、側部スプリング５５は側部支持板５３の両側端に沿って繋がって二つ形成される。側部支持板５３はケース１５の内側の底面と対向配置され、内側に設けられた電極組立体１０の下端と当接する。側部スプリング５５はケース１５の底に向かって１８０度屈曲して側部スプリング５５の表面５５ａがケース１５の側面１５ｃと当接する。側部スプリング５５は略「Ｃ」字状に屈曲した板スプリングからなり、屈曲した部分が弾性変形してもよい。
【００６４】
屈曲形成された側部スプリング５５はさらに大きい弾性を有し、これによって外部の衝撃や振動が加えられる時、側部支持板５３が電極組立体１０を側方向に安定的に支持することができる。
【００６５】
図８は本発明の第３実施形態に係る二次電池の緩衝シートを示した斜視図であり、図９は本発明の第３実施形態に係る二次電池を横方向で切断した切開斜視図である。
【００６６】
図８及び図９を参照して説明すると、本実施形態に係る二次電池１３０は、緩衝シート６０と絶縁フィルム６７を除いては前記第１実施形態に係る二次電池１１０と同じ構造からなるため、同じ構造についての説明は省略する。
【００６７】
本実施形態に係る緩衝シート６０は、ケース１５の底と対向する底支持板６１と底支持板６１の両側端に形成された底スプリング６２、及び底支持板６１と連結形成されてケース１５の側面と対向する側部支持板６３と側部支持板６３の両側端に形成された側部スプリング６５を含む。
【００６８】
また、底スプリング６２と側部スプリング６５には絶縁フィルム６７が熱融着によって固定されるが、絶縁フィルム６７は二つの底スプリング６２と側部スプリング６５に各々付着される。例えば、図８及び９に示したように、前記側部スプリング６５は前記絶縁フィルム６７とケース１５との間に位置してもよい。これにより緩衝シート６０と絶縁フィルム６７が結合されると、略上部が開口された六面体形状で構成される。
【００６９】
一方、側部支持板６３にはタップ孔３１ａ、３２ａを通過したガスが排出されるように支持板孔６３ａが形成されている。これにより、電極組立体１０内部で発生したガスがタップ孔３１ａ、３２ａと支持板孔６３ａを通過してケース１５の上部に容易に移動することができる。
【００７０】
底スプリング６２及び側部スプリング６５は、側端がケース１５のラウンド部１５ａに支持されて底支持板６１と側部支持板６３をケース１５から離隔させる。これにより、底支持板６１と側部支持板６３はケース１５の内面において離隔して電極組立体１０を支持することができ、緩衝シート６０が外部の衝撃や振動を緩衝することができる。
【００７１】
一方、絶縁フィルム６７は電極組立体１０とケース１５が短絡することを防止するが、緩衝シート６０に絶縁フィルム６７が融着されると、衝撃及び振動を緩衝すると共に、電極組立体１０とケース１５が短絡することを安定的に防止することができる。
【００７２】
以上、本発明の望ましい実施形態について説明したが、本発明がこれに限定されることなく、特許請求の範囲と発明の詳細な説明及び添付図面の範囲内で多様に変形して実施することができる。
【００７３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７４】
１１０、１２０      二次電池
１０        電極組立体
１１        正極
１１ａ      正極無地部
１２        負極
１２ａ      負極無地部
１３        セパレータ
１５        ケース
１５ａ      ラウンド部
１５ｂ      底面
１５ｃ      側面
２０        キャップアセンブリー
２１        正極端子
２２        負極端子
２８        キャッププレート
３１、３２      リードタップ
３１ａ、３２ａ        タップ孔
４０、５０、６０      緩衝シート
４１、５１、６１      底支持板
４２、５２、６２      底スプリング
４３、５３、６３      側部支持板
４５、５５、６５      側部スプリング
６３ａ      支持板孔
６７        絶縁フィルム
【図１】
2011082162.tif 000003
【図２】
2011082162.tif 000004
【図３】
2011082162.tif 000005
【図４】
2011082162.tif 000006
【図５】
2011082162.tif 000007
【図６】
2011082162.tif 000008
【図７】
2011082162.tif 000009
【図８】
2011082162.tif 000010
【図９】
2011082162.tif 000011